(57)【要約】【課題】  スマートフォンを用いる従来の撮像遠隔操作システムの、送受信時のタイムラグを解消し、双方の視覚的、触覚的連係を図ること。【解決手段】  スマートフォン３０とアナログ電子時計１とを近距離無線通信で接続して行う撮像遠隔操作方法において、スマートフォン３０はその表示面３８にカウントダウンの数字を表示しカウントダウン後にシャッターを作動する。電子時計はカメラアイコン表示部４を指す機能針３ａを備えた機能表示部３と、タイマー開始指示信号を送信させるファンクションボタン６と、振動部２１とを備え、電子時計のファンクションボタンが押されると、カウント動作がスマートフォンと電子時計の双方で連動してなされ、スマートフォンではカウントダウンの数字が表示され、電子時計ではバイブレーションが作動される。スマートフォンがカメラモードＯＦＦになると、電子時計の機能針３ａが元の位置に復帰する。【選択図】  図６
2018174457.tif 000002
【特許請求の範囲】
【請求項１】
スマートフォン（３０）と腕時計型のアナログ電子時計（１）とを近距離無線通信で接続し、前記スマートフォン（３０）がカメラモードＯＮとなった後に、前記電子時計（１）からのタイマー開始指示信号を当該スマートフォンが受信すると、当該スマートフォンのカメラシャッタータイマー手段のカウント動作とともに当該電子時計のカウント動作が連動され、所定時間後に当該スマートフォンのシャッターが作動する形式の撮像遠隔操作方法において、
前記スマートフォン（３０）は、前記カメラシャッタータイマー手段が開始すると、その表示面（３８）にカウントダウンの数字を表示するとともに、当該カウントダウン後にシャッターを作動するものであり、
前記電子時計（１）は、カメラアイコン表示部（４）を備えた機能表示部（３）と、操作されると前記タイマー開始指示信号を送信させるファンクションボタン（６）と、前記スマートフォン（３０）のカメラシャッタータイマー手段が開始すると当該カメラシャッタータイマー手段に同期してバイブレーションが作動する振動部（２１）と、を備え、
前記機能表示部（３）は、機能針（３ａ）と、カメラアイコン（４ｄ）を有する複数のアイコンとを備え、この機能針（３ａ）がステッピングモータ（１８）により回動駆動し且つ前記スマートフォン（３０）がカメラモードになると前記機能針（３ａ）が回動して前記カメラアイコン（４ｄ）を指すものであり、
前記電子時計（１）の前記ファンクションボタン（６）が押されると、所定時間のカウント動作が当該電子時計と前記スマートフォン（３０）の双方で連動してなされるとともに、前記スマートフォン（３０）においては前記表示面（３８）にカウントダウンの数字が表示される一方、前記電子時計（１）においては前記バイブレーションが作動され、さらに、所定時間後に前記スマートフォン（３０）のシャッターが作動して当該スマートフォンがカメラモードＯＦＦになると、前記電子時計（１）の前記機能表示部（３）の前記機能針（３ａ）が回動して元の位置に復帰することを特徴とする撮像遠隔操作方法。
【請求項２】
前記スマートフォン（３０）と前記アナログ電子時計（１）は、所定の通信間隔を有する通信タイミングで無線通信されており、
前記電子時計（１）の前記タイマー開始指示信号の送信時と、前記通信タイミングとの時間差を当該スマートフォン（３０）へ送信して、前記電子時計（１）のカウントダウン振動と前記前記スマートフォン（３０）のカウントダウン表示とを同期させるように構成されていることを特徴とする請求項１記載の撮像遠隔操作方法。
【発明の詳細な説明】
【技術分野】
【０００１】
本発明は、撮像遠隔操作方法に係り、より詳しくは、スマートフォンとアナログ電子時計を用いて行う撮像遠隔操作方法に関する。
【背景技術】
【０００２】
従来において、腕時計型端末装置から携帯電話のカメラを、ブルートゥース（Ｂｌｕｅｔｏｏｔｈ；登録商標）などの近距離無線通信を介して、操作するものが知られている（特許文献１）。
【０００３】
この特許文献１に開示されたシステムは、携帯電話と、腕時計型端末装置とから構成されるものであって、この携帯電話は、制御部と、前記腕時計型端末装置と通信できる近距離無線通信部と、カメラとを有している。また、前記腕時計型端末装置は、制御部と、前記携帯電話装置と通信できる近距離無線通信部と、時計回路と、表示部と、操作ボタンとを有している。
【０００４】
そして、前記携帯電話の制御部は、カメラによる撮影モードが起動された後に、カメラを外部から受信されたコマンドにより制御するリモートシャッター機能が起動されたときに、前記腕時計型端末装置に対して、リモートシャッターモードを開始させるコマンドを近距離無線通信部を介して送信する機能と、リモートシャッター機能が起動されている場合に、前記腕時計型端末装置から近距離無線通信部を介してモニター画像の取得を要求するコマンドを受信したときに、カメラに撮像されている画像データを前記腕時計型端末装置に送信する機能と、リモートシャッター機能が起動されている場合に、前記腕時計型端末装置から近距離無線通信部を介してシャッターの押下を指示するコマンドを受信したときに、カメラによる撮影を実行させる機能と、カメラによる撮影モードが終了されたときに、前記腕時計型端末装置に対して、リモートシャッターモードを終了させるコマンドを、近距離無線通信部を介して送信する機能を有する。
【０００５】
また、前記腕時計型端末装置の制御部は、前記携帯電話装置から、近距離無線通信部を介してリモートシャッターモードを開始させるコマンドを受信したときに、リモートシャッターモードを開始させる機能と、リモートシャッターモードにおいて、近距離無線通信部を介して前記携帯電話装置に対しモニター画像の取得を要求するコマンドを送信する機能と、モニター画像の取得を要求するコマンドに応じて前記携帯電話装置から受信した画像データを表示部に表示する機能と、リモートシャッターモードにおいて、所定の操作ボタンの操作に応じて、前記携帯電話装置に対してシャッターの押下を指示するコマンドを近距離無線通信部を介して送信する機能と、前記携帯電話装置から、近距離無線通信部を介して前記リモートシャッターモードを終了させるコマンドを受信したときに、リモートシャッターモードを終了させる機能とを有するものである。
【０００６】
この特許文献１に開示されたシステムによれば、カメラ付き携帯電話の動作モードを、リモートシャッター機能を用いるモードに変更するだけで、腕時計型端末装置の動作モードが自動的にカメラを制御するモードに変更され、カメラ付き携帯電話のカメラの動作を終了させるのみで、腕時計型端末装置のリモートシャッターモードが終了されるので、携帯電話側の操作のみで、腕時計型端末装置の動作モードも制御することができ、煩雑な操作が不要となり、容易にカメラ付き携帯電話のカメラを遠隔制御することが可能となる作用効果を奏することとなる。
【０００７】
また、従来において、デジタルカメラと腕時計型電子機器とを無線通信で接続して、その腕時計型電子機器でデジタルカメラを操作するものも知られている（特許文献２）。
【０００８】
この特許文献２に開示されたシステムは、腕時計型電子機器にタイマー手段を具備させ、そして、腕時計型電子機器にてタイマー撮影のカウント動作を開始させるためのタイマー開始指示の信号が送信されると、この信号を受信したデジタルカメラにてタイマーのカウント動作が開始され、次いで、デジタルカメラと腕時計型電子機器との間で所定の通信が行われることにより、双方のカウント動作が連動される。そして、腕時計型電子機器ではカウント値に基づく報知が行われ、また、撮影が終了すると、デジタルカメラから送信される撮影終了の信号が受信されて、腕時計型電子機器にて撮影終了の旨が報知されるものである。
【０００９】
また、近時、スマートフォンと腕時計型アナログ電子機器とを無線通信で接続して、スマートフォンが受信したメッセージ情報をアナログ電子機器にて認識するものも提案されている（特許文献３）。
【先行技術文献】
【特許文献】
【００１０】
【特許文献１】特開２００９−１１８４７４号公報
【特許文献２】特開２００５−０７０３９２号公報
【特許文献３】特開２０１６−１３３４４２号公報
【発明の概要】
【発明が解決しようとする課題】
【００１１】
前記特許文献１のように、腕時計型端末装置から携帯電話のカメラを、近距離無線通信を介して操作するものは、腕時計型端末装置にてシャッター操作をするので携帯電話のカメラを遠隔制御することが可能となる利点はあるものの、写真をとる人が腕時計型端末装置を操作した状態で写ってしまう不都合がある。
【００１２】
この点、前記特許文献２のように、タイマー撮影のカウント動作を具備すれば特許文献１の前記不都合を解消できることになる。しかしながら、この特許文献２の場合は、腕時計型電子機器にタイマー手段を具備しているとともに、タイマー撮影のカウント動作は、カメラのない腕時計型電子機器で操作されてスタートするように構成されている。
【００１３】
そうすると、特許文献２の場合は、腕時計型電子機器においてシャッター操作を行う人によるシャッター時と、これが近距離無線通信を介して携帯電話に到達して開始されるカメラのシャッター開始時との間において、送受信される通信サイクルに起因するタイムラグや、機械的なシャッター操作がなされてからＯＮ信号を発生するタイムラグなどの不具合を生じ得る。
【００１４】
さらに、特許文献２の場合は、携帯電話と腕時計型電子機器との間に前述したタイムラグが生じ、また、携帯電話と腕時計型電子機器の同期状態を視覚的あるいは触覚的に認識できる手段が施されていないので、タイムラグが発生した場合にこれを検知し除去することが困難である。
【００１５】
なお、特許文献３のように、スマートフォンと腕時計型アナログ電子機器とを無線通信で接続して、スマートフォンが受信したメッセージ情報をアナログ電子機器にて認識するものには、腕時計型アナログ電子機器でスマートフォンのカメラを操作することに関しては言及されていない。
【００１６】
そこで本発明は、近時多く用いられているスマートフォンと、腕時計型アナログ電子機器とを無線通信で接続して同期させ、操作者つまり腕時計型アナログ電子機器の側において双方の同期状態を視覚的および触覚的に認識できる手段を備えて、上記従来の欠点を除去し得る撮像遠隔操作方法を提供することを目的とするものである。
【課題を解決するための手段】
【００１７】
本願第１請求項に記載した発明は、実施例で用いた符号を付して記すと、スマートフォン３０と腕時計型のアナログ電子時計１とを近距離無線通信で接続し、前記スマートフォン３０がカメラモードＯＮとなった後に、前記電子時計１からのタイマー開始指示信号を当該スマートフォンが受信すると、当該スマートフォンのカメラシャッタータイマー手段のカウント動作とともに当該電子時計のカウント動作が連動され、所定時間後に当該スマートフォンのシャッターが作動する形式の撮像遠隔操作方法において、
前記スマートフォン３０は、前記カメラシャッタータイマー手段が開始すると、その表示面３８にカウントダウンの数字を表示するとともに、当該カウントダウン後にシャッターを作動するものであり、
前記電子時計１は、カメラアイコン表示部４を備えた機能表示部３と、操作されると前記タイマー開始指示信号を送信させるファンクションボタン６と、前記スマートフォン３０のカメラシャッタータイマー手段が開始すると当該カメラシャッタータイマー手段に同期してバイブレーションが作動する振動部２１と、を備え、
前記機能表示部３は、機能針３ａと、カメラアイコン４ｄを有する複数のアイコンとを備え、この機能針３ａがステッピングモータ１８により回動駆動し且つ前記スマートフォン３０がカメラモードになると前記機能針３ａが回動して前記カメラアイコン４ｄを指すものであり、
前記電子時計１の前記ファンクションボタン６が押されると、所定時間のカウント動作が当該電子時計と前記スマートフォン３０の双方で連動してなされるとともに、前記スマートフォン３０においては前記表示面３８にカウントダウンの数字が表示される一方、前記電子時計１においては前記バイブレーションが作動され、さらに、所定時間後に前記スマートフォン３０のシャッターが作動して当該スマートフォンがカメラモードＯＦＦになると、前記電子時計１の前記機能表示部３の前記機能針３ａが回動して、元の位置に復帰することを特徴とする撮像遠隔操作方法である。
【００１８】
本願第２請求項に記載した発明は、スマートフォン３０と前記アナログ電子時計１は、所定の通信間隔を有する通信タイミングで無線通信されており、
前記電子時計１の前記タイマー開始指示信号の送信時と、前記通信タイミングとの時間差を当該スマートフォン３０へ送信して、前記電子時計１のカウントダウン振動と前記スマートフォン３０のカウントダウン表示とを同期させるように構成されていることを特徴とする請求項１記載の撮像遠隔操作方法である。
【発明の効果】
【００１９】
本願第１請求項に記載した撮像遠隔操作方法によれば、スマートフォンがカメラモードになると電子時計の機能針が回動してカメラアイコンを指すので、双方が連動していることが視認でき、そして、電子時計のファンクションボタンが押されると、所定時間のカウント動作が電子時計とスマートフォンの双方で連動してなされる。この連動は、スマートフォンにおいてはその表示面にカウントダウンの数字が表示される一方、電子時計においてはバイブレーションが作動されるので、当該カウントダウンを視覚的および触覚的に認識することができる。さらに、所定時間後にスマートフォンのシャッターが作動して当該スマートフォンがカメラモードＯＦＦになると、電子時計の機能表示部の機能針が回動して、回動前の位置に復帰するので、この機能針の元の位置への復帰をもって、カメラによる撮影が完了したことを確認することができる。
【００２０】
本願第２請求項に記載した撮像遠隔操作方法によれば、前記電子時計のタイマー開始指示信号の送信と前記通信タイミングとの間に時間差を生じても、電子時計のカウントダウン振動とスマートフォンのカウントダウン表示とを同期させるので、スマートフォンと電子時計との間に生じ得る時間差に起因する表示および作動の不具合を解消することができる。このように、ファンクションボタンを押した瞬間に送信を行わずに、通信タイミングで当該送信を行うと、可能な限り通信を少なくできて電力消費量を低減することが可能となり、これにより電池寿命を長くすることができる。
【図面の簡単な説明】
【００２１】
【図１】本発明の実施例に係り、スマートフォンとこれに近距離無線通信で接続される電子時計を示す図である。
【図２】本発明の実施例に係り、腕時計型の電子時計を示す正面図である。
【図３】本発明の実施例に係り、電子時計に備えられたカメラアイコン表示部を示す図である。
【図４】本発明の実施例に係り、スマートフォンとこれに近距離無線通信で接続される電子時計の双方により構成される情報処理システムを示すブロック図である。
【図５】本発明の実施例に係り、電子時計の回路基板にムーブメントと電子部品が配置された状態を示す図である。
【図６】本発明の実施例に係り、スマートフォンとこれに近距離無線通信で接続される電子時計との間におけるリモートシャッター動作の基本的なシーケンズを示す図である。
【図７】本発明の実施例に係り、カメラアプリが開かれ電子時計の機能針がカメラアプリ起動中のアイコンへ移動した状態における時計正面とカメラアイコン表示部を示す図である。
【図８】本発明の実施例に係り、カメラアプリが開かれ電子時計の機能針がカメラアプリ起動中のアイコンへ移動した際においてファンクションボタンが押された状態を示す時計正面図である。
【図９】本発明の実施例に係り、電子時計のファンクションボタンが押されてカウントダウンがスタートした状態における時計正面とスマートフォンの表示面を示す図である。
【図１０】本発明の実施例に係り、電子時計のファンクションボタンが押されてカウントダウンが進んでいる状態におけるスマートフォンの表示面を示す図である。
【図１１】本発明の他の実施例に係り、電子時計のファンクションボタンが押されてカウントダウンが進んでいる状態におけるスマートフォンの表示面を示す図である。
【図１２】本発明の他の実施例に係り、シャッターが作動した状態におけるスマートフォンの表示面を示す図である。
【発明を実施するための形態】
【００２２】
以下に、本発明の実施例を図面に基づいて説明する。
【００２３】
本発明は、スマートフォン３０と腕時計型のアナログ電子時計１とを近距離無線通信で接続し、後に詳述するように、電子時計１の操作ボタン（ファンクションボタン６）を操作してスマートフォン３０のカメラシャッタータイマー手段のカウント動作を開始させるとともに、電子時計１のカウント動作が連動するようにし、所定時間後にスマートフォン３０のシャッターが作動する撮像遠隔操作システムを基本構成としている。
【００２４】
本例の撮像遠隔操作システムにおいては、電子時計１を装着している人が被写体となり、スマートフォン３０は他の人が把持しているか、またはスタンドや三脚などにスマートフォン３０を取り付けて行われる。
【００２５】
そして、この撮像遠隔操作システムにおける遠隔操作方法の概略を説明すると、次のとおりである。すなわち、電子時計１が操作されてスマートフォン３０のカメラシャッタータイマー手段が開始されると、スマートフォン３０の表示面３８にカウントダウンの数字が表示される。一方、電子時計１では、このカウントダウンに同期してバイブレーションが作動し、当該カウントダウンの終了と同時に、スマートフォン３０のシャッターが作動する。これにより、電子時計１を操作することにより、スマートフォン３０のシャッターが制御される。
【００２６】
図１および図２に示すように、本例の電子時計１は、指針２（時針２ａ、分針２ｂ）のほかに秒針２ｃと、機能針３ａを備えた機能表示部３を設けている。また、時計側部には、リューズ５、上記ファンクションボタン６、そしてブルートゥースボタン７を設けている。
【００２７】
なお、リューズ５は、手動時刻合わせに供されるもので、これを回して時分針が回動する。ファンクションボタン６はプッシュ式スイッチにより構成され、本例では４秒長押しするとスマホ検索、電話・メール着信時には、これをプッシュすると、後述するアイコン４ｅまたはアイコン４ｆを指していた機能針３ａを元に戻し、カメラ起動時には、プッシュするとスマートフォン３０のシャッターを作動させ、アラーム起動時には、プッシュするとアラームを止める作用をなす。また、ブルートゥースボタン７は、プッシュ式スイッチにより構成され、本例では２秒長押しすると、初回接続時はペアリングモードを、２回目以降はブルートゥースＯＮ、ブルートゥース接続時はブルートゥースＯＦＦを実現する。さらに、アラーム起動時にブルートゥースボタン７をプッシュすると、アラームを止める作用を行う。
【００２８】
また、本例では、スマートフォン３０と電子時計１との無線通信によるデータ授受に応じて、電子時計１の機能針３ａが、ブルートゥース接続のＯＮとＯＦＦ、アラーム通知、カメラアプリ起動、メール・アプリ通知、電話着信など、それぞれの状態表示を指すように構成されている。その状態表示は、機能表示部３の複数のアイコン４によって示される。すなわち、図３に示すように、アイコン４ａは「ブルートゥース接続ＯＮ」、アイコン４ｂは「ブルートゥース接続ＯＦＦ」、アイコン４ｃは「アラーム通知」、アイコン４ｄは「カメラアプリ起動中」、アイコン４ｅは「メール・アプリ通知有り」、アイコン４ｆは「電話着信有り」である。
【００２９】
電子時計１は、図４に示すように、この電子時計１の全体を制御する制御部１１、スマートフォン３０と通信するためのブルートゥース通信部１２、制御部１１が実行する種々のプログラムや初期設定データを格納するＲＯＭおよび制御部１１に作業用のメモリー空間を提供するＲＡＭを含む記憶部１３、現在時刻を計数して保持するカウンターである計時回路１４、計時回路１４の計数する現在時刻に基づいてステッピングモータ１８を駆動させる駆動回路１５、また、振動モータなどを備えた振動部２１を駆動させる駆動回路１６、およびスイッチ１７を備える。なお、符号１９は時針分針部、２０は機能針部である。本例では、時針針部１９の時針２ａおよび分針２ｂと、秒針２ｃ、機能針部２０の機能針３ａは、それぞれ個別のステッピングモータ１８により作動される。
【００３０】
また、本例においては、図５に示すように、それぞれ個別のステッピングモータを備えたムーブメント２３（２３ａ、２３ｂ、２３ｃ）が、回路基板２４に設置されている。すなわち、時分針用ムーブメント２３ａが回路基板２４の中央部、秒針用ムーブメント２３ｂが図中の下部、機能針用ムーブメント２３ｃが図中の上部に、それぞれ隣接するムーブメントの各一部が重なるように、配置されている。これらのムーブメント２３（２３ａ、２３ｂ、２３ｃ）の左右には、無線モジュールなどの電子部品２５が配置されている。このように、ムーブメント２３と重ならない回路基板２４のスペースに電子部品２５を配置することで、厚みや径に影響を与えないため、電子時計１をコンパクト化することができる。
【００３１】
スマートフォン３０は、このスマートフォン３０の全体を制御する制御部３１、電子時計１と通信するためのブルートゥース通信部３２、制御部３１が実行する種々のプログラムや初期設定データを格納するＲＯＭおよび制御部３１に作業用のメモリー空間を提供するＲＡＭを含む記憶部３３、本例のように遠隔操作するためのカメラシャッタータイマー手段などのプログラムを備えたアプリ３４、カメラ３５、シャッター時にスピーカーからシャッター音などを発生させるＳＰ（スピーカー）３６、振動モータなどを備えた振動部３７を備える。なお、スマートフォン３０が備える表示部３８、操作部、および通信方式などの基本構成は公知であるので、図示や詳細説明は省略している。
【００３２】
上述したスマートフォン３０および電子時計１にてなされる撮像遠隔操作方法は以下のとおりである。
【００３３】
図６に示すように、予めスマートフォン３０と電子時計１との間で、例えば５秒間隔で無線通信してブルートゥース接続（ペアリング）する。接続中は、スマートフォン３０の表示面３８に図１に示すような画面が表れる。接続に成功すると、スマートフォン３０の表示面３８はアプリのメイン画面（図示を省略）に移行するとともに、電子時計１では、振動部２１のバイブレーションが作動し、時刻がスマートフォン３０の時刻と同期する。このとき、電子時計１の機能表示部３において、機能針３ａは「ブルートゥース接続ＯＮ」のアイコン４ａを指す（図３参照）。
【００３４】
ここでスマートフォン３０の表示面３８の「カメラ」（図示を省略）を選択し、あるいはデバイスのカメラアプリを起動して、カメラアプリを開くと、カメラモードがＯＮとなる。
【００３５】
カメラアプリが開かれると、スマートフォン３０からカメラモードＯＮ信号が送信され、これにより電子時計１では、通信間隔を計測開始し、機能針３ａが「カメラアプリ起動中」のアイコン４ｄへ移動（図７参照）し、ファンクションボタン６の機能がカメラシャッターとなる。
【００３６】
ファンクションボタン６を押すと、本例においては５秒間のカウントダウンを開始し、１秒毎にバイブレーションが振動する（図８参照）。そして、前記通信タイミングでボタン（ファンクションボタン６）が押されたことをスマートフォン３０へ連絡する。つまりカメラシャッターＯＮ信号が送信され、ボタンが押された瞬間から通信タイミングまでの間隔を連絡する。
【００３７】
電子時計１からカメラシャッターＯＮ信号が送信されると、図９に示すように、通信間隔５秒から通信タイミングまでのロス時間を引いたカウントダウン時間をスマートフォン３０の表示面３８に表示する。なお、この点に関しては後に詳述する。
【００３８】
図９において、表示面３８の下端中央にシャッター用のアイコン３８ａ、表示面３８の上端右側にはカメラモード終了用のアイコン３８ｂ、また、表示面３８の上端右側にはフラッシュ用のアイコン３８ｃが、それぞれ設けられている。図９に示すカウントダウンの状態において、例えばアイコン３８ａが押されると、当該カウントダウン中にあってもシャッターが優先して作動され、アイコン３８ｂが押されると当該カウントダウン中にあってもカメラモードが終了する。また、アイコン３８ｃが押されると、シャッター時にフラッシュが作動される。
【００３９】
さらに、図１０に示すカウントダウン「４」「３」、図１１のカウントダウン「２」「１」を経て、つまりカウントダウン後に、スマートフォン３０のカメラシャッターが作動する。電子時計１では、上述したバイブレーションが、スマートフォン３０のカウントダウン「５」「４」「３」「２」「１」に同期して振動する。
【００４０】
スマートフォン３０のカメラシャッターが作動すると、図１２に示すように、スマートフォン３０の表示面３８は暗転するとともに瞬時にシャッター時の被写体画面が表示され、カメラアプリが閉じられる。
【００４１】
スマートフォン３０のカメラアプリを閉じると、カメラモードＯＦＦ信号が送信され、これにより電子時計１では、機能針３ａが元の位置（例えば従前の「ブルートゥース接続ＯＮ」のアイコン４ａの位置）に戻り、ファンクションボタン６の機能も元に戻る。
【００４２】
本例の撮像遠隔操作方法は上述のように構成され、スマートフォンがカメラモードになると電子時計の機能針が回動してカメラアイコンを指すので、双方が連動していることが視認できる。そして、電子時計のファンクションボタンが押されると、所定時間のカウント動作が電子時計とスマートフォンの双方で連動してなされるところ、この連動は、スマートフォンにおいてはその表示面にカウントダウンの数字が表示される一方、電子時計においてはバイブレーションが作動されるので、当該カウントダウンを視覚的および触覚的に認識することができる。さらに、所定時間後にスマートフォンのシャッターが作動して当該スマートフォンがカメラモードＯＦＦになると、電子時計の機能表示部の機能針が回動して、回動前の位置に復帰するので、この機能針の元の位置への復帰をもって、カメラによる撮影が完了したことを確認することができることとなる。
【００４３】
本例の撮像遠隔操作システムにおいて、ファンクションボタン６を操作すると、電子時計１においてカウントダウン振動を行うプログラムを起動するとともに、スマートフォン３０へカメラシャッターＯＮ信号を送信する。すると電子時計１のカウントダウン振動とスマートフォン３０の後述するカウントダウン表示が開始される。ところが、電子時計１とスマートフォン３０間の通信間隔（本例では５秒間）があるので、電子時計１のカウントダウン振動とスマートフォン３０のカウントダウン表示との間にズレを生じ得る。そこで、このズレを解消させるために、前述したように、ボタンが押された瞬間から通信タイミングまでの間隔を連絡する構成を備えている。
【００４４】
この構成は、次のとおりである。
（１）本例における５秒間隔の通信タイミングが、例えば、「１２：００：００」→「１２：００：０５」で、ファンクションボタン６の操作時が「１２：００：０２」とすると、「１２：００：０５」の通信タイミング時に生じるボタン操作時との差「３秒」を、この「１２：００：０５」の通信タイミングでスマートフォン３０へ送信する。
（２）撮影タイミングは、ファンクションボタン６の操作時「１２：００：０２」の５秒後、つまり「１２：００：０７」となる一方で、通信タイミングは「１２：００：０５」であり、撮影はその「２秒」後となる。
（３）電子時計１は、ファンクションボタン６の操作時「１２：００：０２」から「５」〜とカウントダウン振動が開始されている一方で、スマートフォン３０の方は、通信タイミング「１２：００：０５」より後になるので、爾後「２」「１」と表示されることとなる。
【００４５】
また、上述した方法とは異なり、次のようにすることもできる。すなわち、本例における５秒間隔の通信タイミングが、前例のように、「１２：００：００」→「１２：００：０５」で、ファンクションボタン６の操作時が「１２：００：０２」とすると、前記の「１２：００：０５」の通信タイミングではなくその前の「１２：００：００」の通信タイミングと、ボタン操作時との差「２秒」を、この「１２：００：０５」の通信タイミングでスマートフォン３０へ送信する。撮影タイミングは前記（２）と同様である。なお、上記のカウントダウンの時間は、上記５秒のほかに、例えば１０秒のカウントダウンとするなど、適宜の時間を採用することもできる。
【００４６】
以上のように、電子時計１のタイマー開始指示信号の送信と前記通信タイミングとの間に時間差を生じても、電子時計１のカウントダウン振動とスマートフォン３０のカウントダウン表示とを同期させるので、スマートフォン３０と電子時計１との間に生じ得る時間差に起因する表示および作動の不具合を解消することができる。このように、ファンクションボタン６を押した瞬間に送信を行わずに、通信タイミングで当該送信を行うと、可能な限り通信を少なくできて電力消費量を低減することが可能となり、これにより電池寿命を長くすることができる。
【００４７】
なお、本例における各部の構成は、特許請求の範囲に記載した技術的範囲において適宜に設計変更が可能であり、図例説明したものに限定されないことは勿論である。
【産業上の利用可能性】
【００４８】
本発明は、スマートフォンを用いる撮像遠隔操作システムとして好適に利用することが可能である。
【符号の説明】
【００４９】
１    電子時計
２    指針
２ａ    時針
２ｂ    分針
２ｃ    秒針
３    機能表示部
３ａ    機能針
４    アイコン
４ａ    ブルートゥース接続ＯＮのアイコン
４ｂ    ブルートゥース接続ＯＦＦのアイコン
４ｃ    アラーム通知のアイコン
４ｄ    カメラアイコン（カメラアプリ起動中のアイコン）
４ｅ    メール・アプリ通知ありのアイコン
４ｆ    電話着信有のアイコン
５    リューズ
６    ファンクションボタン
７    ブルートゥースボタン
１１    制御部
１２    ブルートゥース通信部
１３    記憶部
１４    計時回路
１５    駆動回路
１６    駆動回路
１７    スイッチ
１８    ステッピングモータ
１９    時針分針
２０    機能針
２１    振動部
２２    回路基板
２３    ムーブメント
２３ａ    時分針用ムーブメント
２３ｂ    秒針用ムーブメント
２３ｃ    機能針用ムーブメント
２４    回路基板
２５    電子部品
３０    スマートフォン
３１    制御部
３２    ブルートゥース通信部
３３    記憶部
３４    アプリ
３５    カメラ
３６    ＳＰ
３７    振動部
３８    表示面
３８ａ    表示面に表示されたシャッターアイコン
３８ｂ    表示面に表示されたカメラモード終了のアイコン
３８ｃ    表示面に表示されたフラッシュのアイコン
【図１】
2018174457.tif 000003
【図２】
2018174457.tif 000004
【図３】
2018174457.tif 000005
【図４】
2018174457.tif 000006
【図５】
2018174457.tif 000007
【図６】
2018174457.tif 000008
【図７】
2018174457.tif 000009
【図８】
2018174457.tif 000010
【図９】
2018174457.tif 000011
【図１０】
2018174457.tif 000012
【図１１】
2018174457.tif 000013
【図１２】
2018174457.tif 000014